(57)【要約】【課題】吸収性物品の胴周り部の柔軟性を向上させつつ、吸収性コアの位置ずれを抑制すること。【解決手段】吸収性物品（１）であって、一対の胴周り部の少なくとも一方（２０）は一対のシート（２１，２２）と伸縮部材（２３１）とを有し、各伸縮部材（２３１）は一方の胴周り部（２０）の幅方向の一端部から他端部まで連続し、かつ、幅方向の両端部が一対のシート（２１，２２）に固定された一対の端部固定部（５０）を有し、複数の伸縮部材（２３１）は、幅方向における端部固定部（５０）よりも内側において一対のシート（２１，２２）に固定されていない非固定部（５１）を有する第１伸縮部材（２３１ａ）と、幅方向において少なくとも吸収性コア（１１Ａ）と重複する領域の全域に亘り一対のシート（２１，２２）に固定された中央固定部（５２）を有し、かつ長手方向において吸収性本体（１０）と重複する領域に配置されている第２伸縮部材（２３１ｂ）とを有する。【選択図】図４
2020151253.tif 000002
【特許請求の範囲】
【請求項１】
展開状態において、幅方向と、長手方向とを有し、
一対の胴周り部と、吸収性コアを備える吸収性本体とを有する吸収性物品であって、
前記一対の胴周り部のうちの少なくとも一方は、一対のシートと、前記一対のシート間に配置された前記幅方向に伸縮する複数の伸縮部材とを有し、
各前記伸縮部材は、前記一方の前記胴周り部の前記幅方向の一端部から他端部まで連続して配置され、かつ、前記幅方向の両端部が前記一対のシートに固定された一対の端部固定部を有し、
前記複数の伸縮部材は、第１伸縮部材と、第２伸縮部材とを有し、
前記第１伸縮部材は、前記幅方向における前記端部固定部よりも内側において、前記一対のシートに固定されていない非固定部を有し、
前記第２伸縮部材は、前記幅方向において少なくとも前記吸収性コアと重複する領域の全域に亘り、前記一対のシートに固定された中央固定部を有し、かつ、前記長手方向において前記吸収性本体と重複する領域に配置されていることを特徴とする吸収性物品。
【請求項２】
請求項１に記載の吸収性物品であって、
前記複数の伸縮部材は、前記第２伸縮部材を複数有することを特徴とする吸収性物品。
【請求項３】
請求項１又は２に記載の吸収性物品であって、
前記複数の伸縮部材は、前記第１伸縮部材を複数有することを特徴とする吸収性物品。
【請求項４】
請求項１から３の何れか１項に記載の吸収性物品であって、
少なくとも１つの前記第２伸縮部材は、前記長手方向において前記吸収性コアと重複する領域に配置されていることを特徴とする吸収性物品。
【請求項５】
請求項１から４の何れか１項に記載の吸収性物品であって、
少なくとも１つの前記第２伸縮部材は、前記幅方向における前記端部固定部と前記中央固定部の間において、前記一対のシートに固定されていない非固定部を有することを特徴とする吸収性物品。
【請求項６】
請求項１から５の何れか１項に記載の吸収性物品であって、
少なくとも１つの前記第２伸縮部材が有する前記中央固定部は、前記幅方向の一方側の前記端部固定部から他方側の前記端部固定部まで連続して配置されていることを特徴とする吸収性物品。
【請求項７】
請求項１から６の何れか１項に記載の吸収性物品であって、
少なくとも１つの前記第１伸縮部材が有する前記非固定部は、前記幅方向において少なくとも前記吸収性コアと重複する領域の全域に亘り配置されていることを特徴とする吸収性物品。
【請求項８】
請求項５に記載の吸収性物品であって、
前記複数の伸縮部材のうち、前記第１伸縮部材以外の伸縮部材は、前記第２伸縮部材であり、
全ての前記第１伸縮部材は、前記幅方向において少なくとも前記吸収性コアと重複する領域の全域に亘り、前記一対のシートに固定された中央固定部を有し、
全ての前記第２伸縮部材は、前記非固定部を有することを特徴とする吸収性物品。
【請求項９】
請求項８に記載の吸収性物品であって、
全ての前記第１伸縮部材、及び、全ての前記第２伸縮部材が、それぞれ有する前記中央固定部の前記幅方向の長さが等しいことを特徴とする吸収性物品。
【請求項１０】
請求項１から９の何れか１項に記載の吸収性物品であって、
前記幅方向の一方側の前記端部固定部と他方側の前記端部固定部との間の領域の前記幅方向の長さは、前記吸収性本体の前記幅方向の長さよりも広いことを特徴とする吸収性物品。
【請求項１１】
請求項１から１０の何れか１項に記載の吸収性物品であって、
前記一方の前記胴周り部は、前記幅方向における前記端部固定部よりも内側において前記一対のシート同士が接合される第１シート接合部であって、前記幅方向における前記端部固定部よりも内側において、前記伸縮部材を前記一対のシートに固定する部位と交差することなく配置される第１シート接合部を有さないことを特徴とする吸収性物品。
【請求項１２】
請求項１から１０の何れか１項に記載の吸収性物品であって、
前記一方の前記胴周り部は、前記幅方向における前記端部固定部よりも内側において、前記一対のシート同士が接合された第２シート接合部を有することを特徴とする吸収性物品。
【請求項１３】
請求項１２に記載の吸収性物品であって、
前記第２シート接合部は、前記長手方向よりも前記幅方向に長く延び、前記幅方向における前記端部固定部よりも内側において前記伸縮部材を前記一対のシートに固定する部位と、前記長手方向に間隔をあけて配置されることを特徴とする吸収性物品。
【請求項１４】
請求項１２又は１３に記載の吸収性物品であって、
前記第２シート接合部は、前記幅方向における前記吸収性コアの外側に配置されていることを特徴とする吸収性物品。
【請求項１５】
請求項１から１４の何れか１項に記載のパンツ型吸収性物品であって、
前記一対のシートの少なくとも一方には、表裏に貫通する開孔が間隔を空けて複数設けられており、
前記胴周り部において、前記非固定部が設けられている領域と、前記開孔が設けられている領域と、が重複する部分を有することを特徴とするパンツ型吸収性物品。
【発明の詳細な説明】
【技術分野】
【０００１】
本発明は、吸収性物品に関する。
【背景技術】
【０００２】
吸収性物品の胴周り部の伸縮構造として、２枚のシート層の間に、伸縮方向に沿って設けられた細長状の弾性伸縮部材を備えるものがある。例えば、特許文献１には、弾性伸縮部材の両端部が２枚のシート層に固定されるとともに、その固定端部の間では弾性伸縮部材が２枚のシート層に非固定の自由部となっており、さらに、固定端部の間の領域に、２枚のシート層がホットメルト接着剤を介して接合されたシート接合部を有する伸縮構造が開示されている。伸縮方向に連続するシート接合部によって、２枚のシート層が互いに沿うような波状（襞）をなし、襞の頂部が緩やかに曲がる結果、手触りが柔軟になるとされている。
【先行技術文献】
【特許文献】
【０００３】
【特許文献１】特許第６２５４６２５号公報
【発明の概要】
【発明が解決しようとする課題】
【０００４】
吸収性物品では、一般的に、吸収性コアを備える吸収性本体が胴周り部の肌側に配置され、２枚のシート層のうちの肌側のシート層が吸収性本体に固定されている。また、胴周り部の伸縮構造には、手触りの良い柔軟性が求められる。しかし、特許文献１の伸縮構造を胴周り部に適用する場合、幅方向に胴周り部と吸収性コアとが重複する領域において、弾性伸縮部材が２枚のシート層に非固定となる。そのため、弾性伸縮部材が着用者に密着した位置に対して、弾性伸縮部材に固定されていない肌側のシート層及び吸収性コアが上下方向に位置ずれしやすい。このように着用者に対する吸収性コアの固定が不十分であると、排泄物の漏れに繋がる。
【０００５】
本発明は、上記のような問題に鑑みてなされたものであって、吸収性物品の胴周り部の柔軟性を向上させつつ、吸収性コアの位置ずれを抑制することを目的とする。
【課題を解決するための手段】
【０００６】
上記目的を達成するための主たる発明は、展開状態において、幅方向と、長手方向とを有し、一対の胴周り部と、吸収性コアを備える吸収性本体とを有する吸収性物品であって、前記一対の胴周り部のうちの少なくとも一方は、一対のシートと、前記一対のシート間に配置された前記幅方向に伸縮する複数の伸縮部材とを有し、各前記伸縮部材は、前記一方の前記胴周り部の前記幅方向の一端部から他端部まで連続して配置され、かつ、前記幅方向の両端部が前記一対のシートに固定された一対の端部固定部を有し、前記複数の伸縮部材は、第１伸縮部材と、第２伸縮部材とを有し、前記第１伸縮部材は、前記幅方向における前記端部固定部よりも内側において、前記一対のシートに固定されていない非固定部を有し、前記第２伸縮部材は、前記幅方向において少なくとも前記吸収性コアと重複する領域の全域に亘り、前記一対のシートに固定された中央固定部を有し、かつ、前記長手方向において前記吸収性本体と重複する領域に配置されていることを特徴とする吸収性物品である。
本発明の他の特徴については、本明細書及び添付図面の記載により明らかにする。
【発明の効果】
【０００７】
本発明によれば、吸収性物品の胴周り部の柔軟性を向上させつつ、吸収性コアの位置ずれを抑制することができる。
【図面の簡単な説明】
【０００８】
【図１】パンツ型使い捨ておむつ１の概略斜視図である。
【図２】展開状態かつ伸長状態のおむつ１の概略平面図である。
【図３】図２のＩＩ線での概略断面図である。
【図４】第１実施形態の腹側胴周り部２０の概略平面図である。
【図５】変形例１の腹側胴周り部２０の概略平面図である。
【図６】変形例２の腹側胴周り部２０の概略平面図である。
【図７】第２実施形態の腹側胴周り部２０の概略平面図である。
【図８】第３実施形態の腹側胴周り部２０の概略平面図である。
【図９】第３実施形態の腹側胴周り部２０の概略平面図である。
【図１０】第３実施形態の腹側胴周り部２０の概略平面図である。
【図１１】複数の開孔２５を有するシート２１、２２の一例を表す概略斜視図である。
【発明を実施するための形態】
【０００９】
本明細書及び添付図面の記載により、少なくとも以下の事項が明らかとなる。
すなわち、展開状態において、幅方向と、長手方向とを有し、一対の胴周り部と、吸収性コアを備える吸収性本体とを有する吸収性物品であって、前記一対の胴周り部のうちの少なくとも一方は、一対のシートと、前記一対のシート間に配置された前記幅方向に伸縮する複数の伸縮部材とを有し、各前記伸縮部材は、前記一方の前記胴周り部の前記幅方向の一端部から他端部まで連続して配置され、かつ、前記幅方向の両端部が前記一対のシートに固定された一対の端部固定部を有し、前記複数の伸縮部材は、第１伸縮部材と、第２伸縮部材とを有し、前記第１伸縮部材は、前記幅方向における前記端部固定部よりも内側において、前記一対のシートに固定されていない非固定部を有し、前記第２伸縮部材は、前記幅方向において少なくとも前記吸収性コアと重複する領域の全域に亘り、前記一対のシートに固定された中央固定部を有し、かつ、前記長手方向において前記吸収性本体と重複する領域に配置されていることを特徴とする吸収性物品。
【００１０】
このような吸収性物品によれば、第１伸縮部材の非固定部により、胴周り部の柔軟性を向上させつつ、第２伸縮部材の中央固定部により、吸収性コアの位置ずれを抑制できる。
【００１１】
かかる吸収性物品であって、前記複数の伸縮部材は、前記第２伸縮部材を複数有することを特徴とする吸収性物品。
【００１２】
このような吸収性物品によれば、複数の第２伸縮部材の中央固定部により、吸収性コアの位置ずれをより抑制できる。
【００１３】
かかる吸収性物品であって、前記複数の伸縮部材は、前記第１伸縮部材を複数有することを特徴とする吸収性物品。
【００１４】
このような吸収性物品によれば、複数の第１伸縮部材の非固定部により、胴周り部の柔軟性をより向上させることができる。
【００１５】
かかる吸収性物品であって、少なくとも１つの前記第２伸縮部材は、前記長手方向において前記吸収性コアと重複する領域に配置されていることを特徴とする吸収性物品。
【００１６】
このような吸収性物品によれば、第２伸縮部材が着用者に密着する位置に吸収性コアも固定されやすく、吸収性コアの位置ずれをより抑制できる。
【００１７】
かかる吸収性物品であって、少なくとも１つの前記第２伸縮部材は、前記幅方向における前記端部固定部と前記中央固定部の間において、前記一対のシートに固定されていない非固定部を有することを特徴とする吸収性物品。
【００１８】
このような吸収性物品によれば、第２伸縮部材の非固定部により、胴周り部の柔軟性をより向上させることができる。
【００１９】
かかる吸収性物品であって、少なくとも１つの前記第２伸縮部材が有する前記中央固定部は、前記幅方向の一方側の前記端部固定部から他方側の前記端部固定部まで連続して配置されていることを特徴とする吸収性物品。
【００２０】
このような吸収性物品によれば、第２伸縮部材が着用者に密着する位置に吸収性本体が固定されやすく、吸収性コアの位置ずれをより抑制できる。
【００２１】
かかる吸収性物品であって、少なくとも１つの前記第１伸縮部材が有する前記非固定部は、前記幅方向において少なくとも前記吸収性コアと重複する領域の全域に亘り配置されていることを特徴とする吸収性物品。
【００２２】
このような吸収性物品によれば、胴周り部の幅方向の中央部の柔軟性を向上させることができる。
【００２３】
かかる吸収性物品であって、前記複数の伸縮部材のうち、前記第１伸縮部材以外の伸縮部材は、前記第２伸縮部材であり、全ての前記第１伸縮部材は、前記幅方向において少なくとも前記吸収性コアと重複する領域の全域に亘り、前記一対のシートに固定された中央固定部を有し、全ての前記第２伸縮部材は、前記非固定部を有することを特徴とする吸収性物品。
【００２４】
このような吸収性物品によれば、胴周り部の柔軟性を向上させつつ、吸収性コアの位置ずれを抑制できる。また、中央固定部によって、伸縮部材の長手方向の間隔が維持されやすく、胴周り部の広い範囲に亘り伸縮性を付与できる。
【００２５】
かかる吸収性物品であって、全ての前記第１伸縮部材、及び、全ての前記第２伸縮部材が、それぞれ有する前記中央固定部の前記幅方向の長さが等しいことを特徴とする吸収性物品。
【００２６】
このような吸収性物品によれば、中央固定部の形成が容易となる。
【００２７】
かかる吸収性物品であって、前記幅方向の一方側の前記端部固定部と他方側の前記端部固定部との間の領域の前記幅方向の長さは、前記吸収性本体の前記幅方向の長さよりも広いことを特徴とする吸収性物品。
【００２８】
このような吸収性物品によれば、端部固定部の長さが短くなり、胴周り部の柔軟性を向上させることができる。
【００２９】
かかる吸収性物品であって、前記一方の前記胴周り部は、前記幅方向における前記端部固定部よりも内側において前記一対のシート同士が接合される第１シート接合部であって、前記幅方向における前記端部固定部よりも内側において前記伸縮部材を前記一対のシートに固定する部位と交差することなく配置される第１シート接合部を有さないことを特徴とする吸収性物品。
【００３０】
このような吸収性物品によれば、胴周り部が第１シート接合部を有する場合に比べて、胴周り部の柔軟性を向上させることができる。
【００３１】
かかる吸収性物品であって、前記一方の前記胴周り部は、前記幅方向における前記端部固定部よりも内側において、前記一対のシート同士が接合された第２シート接合部を有することを特徴とする吸収性物品。
【００３２】
このような吸収性物品によれば、伸縮部材が収縮した際に、第２シート接合部によってシートの浮きを抑制でき、吸収性物品の外観を向上させることができる。
【００３３】
かかる吸収性物品であって、前記第２シート接合部は、前記長手方向よりも前記幅方向に長く延び、前記幅方向における前記端部固定部よりも内側において前記伸縮部材を前記一対のシートに固定する部位と、前記長手方向に間隔をあけて配置されることを特徴とする吸収性物品。
【００３４】
このような吸収性物品によれば、伸縮部材が収縮した際に、第２シート接合部によって比較的に細かな縦皺が形成されやすく、吸収性物品の外観を向上させることができる。
【００３５】
かかる吸収性物品であって、前記第２シート接合部は、前記幅方向における前記吸収性コアの外側に配置されていることを特徴とする吸収性物品。
【００３６】
このような吸収性物品によれば、シート接合部の幅方向の長さを出来る限り短くすることで、胴周り部の柔軟性を向上させることができる。
【００３７】
かかるパンツ型吸収性物品であって、前記一対のシートの少なくとも一方には、表裏に貫通する開孔が間隔を空けて複数設けられており、前記胴周り部において、前記非固定部が設けられている領域と、前記開孔が設けられている領域と、が重複する部分を有することを特徴とするパンツ型吸収性物品。
【００３８】
このようなパンツ型吸収性物品によれば、胴周り部において、柔軟性の高い非固定部と重複する領域に開孔が設けられていることにより、開孔の外周縁部の硬化による影響が相対的に小さくなり、胴周り部の触感が硬くなることを抑制できる。また、非固定部には接着剤が設けられていないため、開孔を通じて着用者に接着剤の粘着感を感じさせ難くなる。したがって、着用者に不快感を生じさせること無く、胴周り部の柔軟性や通気性を向上させることができる。
【００３９】
＝＝＝実施形態＝＝＝
以下、本発明に係る吸収性物品として、乳幼児用のパンツ型使い捨ておむつを例に挙げて実施形態を説明する。ただし、本発明に係る吸収性物品は、上記に限らず、大人用のパンツ型使い捨ておむつや、テープ型の使い捨ておむつ、生理用ショーツ等にも適用できる。
【００４０】
＝＝＝パンツ型使い捨ておむつ１の構成＝＝＝
図１は、パンツ型使い捨ておむつ１（以下「おむつ」）の概略斜視図である。図２は、展開状態かつ伸長状態のおむつ１の概略平面図である。図３は、図２のＩＩ線での概略断面図である。パンツ型おむつにおける「展開状態」とは、後述する係止部４０の接合を解いて一対の胴周り部２０，３０を分離し、おむつ１を長手方向に開いた状態である。
【００４１】
おむつ１は、図１に示すパンツ型状態において、幅方向、上下方向、及び、前後方向を有し、胴周り開口部ＢＨ、及び、一対の脚周り開口部ＬＨが形成されている。上下方向において、胴周り側を上側とし、股下側を下側とする。前後方向において、着用者の腹側を前側とし、着用者の背側を後側とする。また、図３に示すように、おむつ１を構成する資材が積層された方向を厚さ方向といい、厚さ方向において着用者に接触する側を肌側とし、着用者に接触しない側を非肌側とする。
【００４２】
また、おむつ１は、一対の胴周り部２０，３０と、吸収性本体１０とを有する。一対の胴周り部２０，３０のうち、着用者の腹側部に当てられるものを腹側胴周り部２０とし、着用者の背側部に当てられるものを背側胴周り部３０とする。
【００４３】
また、おむつ１は、図２に示す展開状態において、幅方向と、長手方向とを有し、幅方向における腹側胴周り部２０の中央部に、吸収性本体１０の長手方向一方側の端部が配置され、幅方向における背側胴周り部３０の中央部に、吸収性本体１０の長手方向他方側の端部が配置されている。展開状態のおむつ１において、吸収性本体１０がその長手方向の略中央で二つ折りされ、腹側胴周り部２０及び背側胴周り部３０それぞれの幅方向の両側部が一対の係止部４０において係止されることにより、図１に示すパンツ型状態のおむつ１となる。なお、展開状態のおむつ１の長手方向がパンツ型状態のおむつ１の上下方向に沿う。また、係止部４０における係止方法としては、溶着や接着剤による接合等を例示できる。
【００４４】
吸収性本体１０は、図３に示すように、吸収体１１と、吸収体１１よりも肌側に配置された液透過性のトップシート１２と、吸収体１１よりも非肌側に配置された液不透過性のバックシート１３と、バックシート１３よりも非肌側に配置された外装シート１４とを有する。
【００４５】
吸収体１１は、図２に示すように、尿等の排泄液を吸収して保持する吸収性コア１１Ａと、吸収性コア１１Ａを覆う液透過性のコアラップシート１１Ｂとを有する。吸収性コア１１Ａとしては、高吸収性ポリマー（ＳＡＰ）を含むパルプ等の液体吸収性繊維が所定の形状に成形されたものを例示できる。なお、吸収性コア１１Ａがコアラップシート１１Ｂで覆われていなくてもよい。
【００４６】
また、図２に示すように、幅方向における吸収性本体１０の両側部には、脚周り伸縮部材１５が設けられており、おむつ１は着用者の脚周りにフィットする。
【００４７】
腹側胴周り部２０及び背側胴周り部３０は、図３に示すように、それぞれ、不織布等の柔軟な肌側シート２１，３１及び非肌側シート２２，３２（一対のシート）と、肌側シート２１，３１と非肌側シート２２，３２の間に配置された幅方向に伸縮する複数の胴周り伸縮部材２３，３３とを有する。複数の胴周り伸縮部材２３，３３は、肌側シート２１，３１と非肌側シート２２，３２の間において、上下方向（長手方向）に間隔をあけて並んで配置されるとともに、幅方向に伸長した状態で固定されている。よって、腹側胴周り部２０及び背側胴周り部３０は幅方向に伸縮し、着用者の胴周りにフィットする。なお、胴周り伸縮部材２３，３３としては、糸ゴム等の糸状の伸縮部材や、細長の伸縮性シートを例示できる。また、胴周り部２０，３０の構成は図示するものに限定されず、例えば、一対のシートに異なるシートが積層された３層以上の構成であってもよいし、１枚のシートが折り曲げられて一対のシートとなった構成であってもよい。
【００４８】
また、本実施形態では、パンツ型使い捨ておむつとして、腹側胴周り部２０と背側胴周り部３０が分離され、腹側胴周り部２０と背側胴周り部３０と吸収性本体１０の３部材を有する所謂３ピースタイプを例示したがこれに限らない。例えば、腹側胴周り部２０と背側胴周り部３０が股下部を介して連続した一部材で形成されており、腹側胴周り部２０と背側胴周り部３０が一体化された外装部材と、吸収性本体の２部材を有する所謂２ピースタイプのパンツ型使い捨ておむつであってもよい。
【００４９】
＝＝＝胴周り部２０，３０について＝＝＝
（第１実施形態）
図４は、第１実施形態の腹側胴周り部２０の概略平面図である。図５は、変形例１の腹側胴周り部２０の概略平面図である。図６は、変形例２の腹側胴周り部２０の概略平面図である。
【００５０】
以下、腹側胴周り部２０を例に挙げて一対の胴周り部２０，３０の構成を説明する。ただし、一対の胴周り部２０，３０のうちの少なくとも一方が以下の構成であればよい。すなわち、両胴周り部２０，３０が以下の構成であってもよいし、腹側胴周り部２０が以下の構成と異なり背側胴周り部３０が以下の構成であってもよいし、腹側胴周り部２０が以下の構成であり背側胴周り部３０が以下の構成と異なっていてもよい。他の実施形態も同様である。
【００５１】
腹側胴周り部２０（以下「胴周り部２０」）が有する複数の胴周り伸縮部材２３は、胴周り部２０の幅方向の一端部から他端部まで連続して配置された複数の「連続伸縮部材２３１（本発明の伸縮部材）」と、幅方向に非連続に配置された複数の「非連続伸縮部材２３２」とを有する。非連続伸縮部材２３２は、連続伸縮部材２３１よりも下方に配置されている。
【００５２】
各連続伸縮部材２３１は、その幅方向の両端部が肌側シート２１及び非肌側シート２２に固定された「一対の端部固定部５０」を有する。なお、端部固定部５０における固定方法は、特に限定されず、例えば、連続伸縮部材２３１に塗布された接着剤による固定や、肌側シート２１及び非肌側シート２２（以下「一対のシート２１，２２」）の内側面に塗布された接着剤による固定や、連続伸縮部材２３１を横切る一対の溶着部で固定する方法等、周知の方法を例示できる。
【００５３】
また、図４では、一対の端部固定部５０が、一対の係止部４０とは別に、一対の係止部４０よりも幅方向の内側に配置されている。ただし、これに限定されない。一対の係止部４０を一対の端部固定部としてもよい。つまり、おむつ１は図４に示す端部固定部５０を有していなくてもよい。
【００５４】
また、複数の連続伸縮部材２３１は複数の「第１連続伸縮部材２３１ａ」を有する。第１連続伸縮部材２３１ａ（本発明の第１伸縮部材）は、幅方向における端部固定部５０よりも内側において、一対のシート２１，２２に固定されていない「非固定部５１」を有する。第１実施形態（図４）では、幅方向の一方側の端部固定部５０から他方側の端部固定部５０まで、非固定部５１が連続して配置されている。
【００５５】
胴周り伸縮部材２３が一対のシート２１，２２に固定されている部位は、固定されていない部位に比べて、接着剤の硬化等により剛性が高まる。そのため、第１連続伸縮部材２３１ａが非固定部５１を有することで、例えば胴周り伸縮部材２３がほぼ全域に亘り一対のシート２１，２２に固定されている場合に比べて、剛性の高い部位の面積を小さくすることができる。よって、胴周り部２０の柔軟性を向上させることができ、胴周り部２０の着け心地を良くすることができる。
【００５６】
ただし、全ての連続伸縮部材２３１を仮に図４に示す第１連続伸縮部材２３１ａにしたとする。そうすると、幅方向に胴周り部２０と吸収性コア１１Ａとが重複する領域Ｒ１において、連続伸縮部材２３１が一対のシート２１，２２に全く固定されないことになる。そのため、肌側シート２１と、肌側シート２１に間接的に固定されている吸収性コア１１Ａとが、連続伸縮部材２３１に対して上下方向に移動可能となる。そうすると、連続伸縮部材２３１が着用者に密着した位置に対して、肌側シート２１と吸収性コア１１Ａとが上下方向に位置ずれし、着用者に対する吸収性コア１１Ａの固定が不十分となる。その結果、排泄物が漏れやすくなったり、おむつ１の着け心地が低下したりしてしまう。
【００５７】
そこで、複数の連続伸縮部材２３１は「第２連続伸縮部材２３１ｂ」を有するものとする。第２連続伸縮部材２３１ｂ（本発明の第２伸縮部材）は、幅方向において少なくとも吸収性コア１１Ａと重複する領域Ｒ１の全域に亘り、一対のシート２１，２２に固定された「中央固定部５２」を有し、かつ、長手方向において吸収性本体１０と重複する領域に配置されている。
【００５８】
そうすることで、おむつ１の前後方向（厚さ方向）に吸収性本体１０と重なる第２連続伸縮部材２３１ｂが、肌側シート２１に固定される。また、少なくとも幅方向に吸収性コア１１Ａが存在する領域Ｒ１において、第２連続伸縮部材２３１ｂが肌側シート２１に固定される。よって、第２連続伸縮部材２３１ｂが着用者に密着する位置に、肌側シート２１も固定され、肌側シート２１に間接的に固定されている吸収性コア１１Ａも上下方向に位置ずれし難くなる。その結果、着用者に対する吸収性コア１１Ａのフィット性が増し、排泄物が漏れ難くなり、おむつ１の着け心地が向上する。
【００５９】
特に、第１実施形態（図４）では、第２連続伸縮部材２３１ｂが有する中央固定部５２が、幅方向の一方側の端部固定部５０から他方側の端部固定部５０まで連続して配置されている。このように、幅方向に吸収性本体１０が存在する範囲Ｒ２を超えて中央固定部５２が長く延びている場合、第２連続伸縮部材２３１ｂが着用者に密着する位置に、肌側シート２１及び吸収性本体１０も固定される。吸収性本体１０が上下方向に位置ずれし難くなることで、吸収性本体１０が備える吸収性コア１１Ａも上下方向に位置ずれし難くなる。
【００６０】
ただし、上記に限定されない。第２連続伸縮部材２３１の中央固定部５２は、少なくとも幅方向に吸収性コア１１Ａが存在する範囲Ｒ１に配置されていればよい。そのため、例えば、変形例２（図６）のように、第２連続伸縮部材２３１ｂは、幅方向における端部固定部５０と中央固定部５２の間において、一対のシートに固定されていない非固定部５３を有していてもよい。このように、中央固定部５２の幅方向の長さが短くなることで、剛性の高い部位の面積を小さくすることができ、胴周り部２０の柔軟性を向上させることができる。特に図６に示すように、幅方向における吸収性コア１１Ａの側端の位置と中央固定部５２の側端の位置とが一致していることで、胴周り部２０の柔軟性をより向上させることができる。
【００６１】
なお、変形例２（図６）では中央固定部５２の両側に非固定部５３が配置されているが、中央固定部５２の片側にのみ非固定部５３が配置されていてもよい（不図示）。つまり、幅方向の一方側の端部固定部５０と中央固定部５２が連続していたり、幅方向の他方側の端部固定部５０と中央固定部５２とが連続していたりしてもよい。
【００６２】
また、複数の連続伸縮部材２３１は、第２連続伸縮部材２３１ｂを少なくとも１つ有していればよい。そうすることで、吸収性コア１１Ａの上下方向の位置ずれを抑制できる。第１実施形態（図４）では、複数の連続伸縮部材２３１のうち、１つの第２連続伸縮部材２３１ｂ以外は、第１連続伸縮部材２３１ａとなっている。
【００６３】
このように、複数の連続伸縮部材２３１が第１連続伸縮部材２３１ａを複数有するとよい。非固定部５１を有する第１連続伸縮部材２３１ａの数が増えることで、剛性の高い部位の面積を小さくすることができる。よって、胴周り部２０の柔軟性をより向上させることができる。
【００６４】
ただし、上記に限定されない。変形例１（図５）のように、複数の連続伸縮部材２３１が、第２連続伸縮部材２３１ｂを複数有していてもよい。そうすることで、複数の第２連続伸縮部材２３１ｂが着用者に密着する位置に肌側シート２１も固定される。そのため、吸収性コア１１Ａの上下方向の位置ずれをより抑制できる。なお、第２連続伸縮部材２３１ｂが複数存在する場合、中央固定部５２の幅方向の長さが異なっていてもよい（不図示）。
【００６５】
また、胴周り部２０の幅方向中央部には、吸収性本体１０や第２連続伸縮部材２３１ｂの中央固定部５２が位置する。そのため、着用者は、胴周り部２０の幅方向中央部の硬さを感じやすい。そのため、第１実施形態（図４）のように、第１連続伸縮部材２３１ａの非固定部５１は、幅方向において少なくとも吸収性コア１１Ａと重複する領域Ｒ１の全域に亘り配置されているとよい。そうすることで、胴周り部２０の幅方向中央部に柔軟性を付与でき、着け心地が向上する。
【００６６】
特に、第１実施形態（図４）では、第１連続伸縮部材２３１ａの非固定部５１が、幅方向の一方側の端部固定部５０から他方側の端部固定部５０まで連続して長く延びている。そのため、胴周り部２０の柔軟性をより向上させることができる。
【００６７】
また、第１実施形態（図４）のように、最も下方（長手方向の内側）に位置する連続伸縮部材２３１が第２連続伸縮部材２３１ｂであるとよい。そうすることで、上下方向において吸収性コア１１Ａに最も近い第２連続伸縮部材２３１ｂが肌側シート２１に固定される。そのため、第２連続伸縮部材２３１ｂが着用者に密着する位置に対して、吸収性コア１１Ａが上下方向に位置ずれし難くなる。ただし、上記に限定されず、変形例２（図６）のように、最も下方に位置する連続伸縮部材２３１よりも上方に第２連続伸縮部材２３１ｂが位置していてもよい。
【００６８】
さらに、変形例１（図５）のように、少なくとも１つの第２連続伸縮部材２３１ｂが、上下方向（長手方向）において吸収性コア１１Ａと重複する領域に配置されていてもよい。そうすることで、第２連続伸縮部材２３１ｂが着用者に密着する位置に、肌側シート２１及び吸収性コア１１Ａが固定される。そのため、吸収性コア１１Ａの上下方向の位置ずれをより抑制できる。
【００６９】
また、図４に示すように、幅方向の一方側の端部固定部５０と他方側の端部固定部５０との間の領域（一対の端部固定部５０の内側縁間）の幅方向の長さＷ１は、吸収性本体１０の幅方向の長さＷ２よりも長いことが好ましい（Ｗ１＞Ｗ２）。そうして、端部固定部５０の幅方向の長さを比較的に短くすることで、胴周り部２０の柔軟性を向上させることができる。
【００７０】
なお、幅方向の長さＷ１，Ｗ２を比較する場合、おむつ１を皺なく伸長させた状態で行うとよい。具体的には、胴周り部２０を構成する部材（例えば肌側シート２１等）の寸法がその部材単体の寸法と一致又はそれに近い長さになるまで伸長させた状態である。
【００７１】
また、複数の連続伸縮部材２３１が、第１連続伸縮部材２３１ａ及び第２連続伸縮部材２３１ｂ以外の連続伸縮部材２３１を有していてもよい。例えば、変形例１（図５）のように、吸収性本体１０よりも長手方向の外側の領域において、非固定部５１を有さない第３連続伸縮部材２３１ｃが配置されていてもよい。つまり、第３連続伸縮部材２３１ｃは、幅方向一方側の端部固定部５０から他方側の端部固定部５０まで連続して一対のシート２１，２２に固定された中央固定部５４を有する。
【００７２】
この場合にも、幅方向に吸収性コア１１Ａが存在する領域Ｒ１において、第３連続伸縮部材２３１ｃが着用者に密着する位置に、肌側シート２１も固定される。そのため、吸収性コア１１Ａが上下方向に位置ずれし難くなる。なお、第３連続伸縮部材２３１ｃの数は単数であっても複数であってもよい。
【００７３】
また、図４に示すように、胴周り部２０は、第２連続伸縮部材２１３ｂよりも下方（長手方向の内側）において、非連続伸縮部材２３２を有する。非連続伸縮部材２３２は、幅方向において吸収性コア１１Ａと重複する領域Ｒ１の少なくとも一部において、非連続となっている。つまり、長手方向に吸収性本体１０と重複する胴周り伸縮部材２３の一部が、幅方向の中央部において非伸縮領域（非連続の部分）を有する。そのため、胴周り伸縮部材２３による吸収性コア１１Ａの収縮を抑制でき、吸収性コア１１Ａの平坦性を確保できる。
【００７４】
そして、非連続伸縮部材２３２も、端部固定部５５、及び、非固定部５６を有するとよい。端部固定部５５は、非連続伸縮部材２３２の連続部分における幅方向の両端部が一対のシート２１，２２に固定された部位である。非固定部５６は、端部固定部５５の間において非連続伸縮部材２３２が一対のシート２１，２２に固定されていない部位である。具体的には、図４に示すように、胴周り部２０の幅方向一方側の端部と、吸収性コア１１Ａの幅方向一方側の端部に、一対の端部固定部５５が配置され、その間に非固定部５６が配置されており、また、吸収性コア１１Ａの幅方向他方側の端部と、胴周り部２０の幅方向他方側の端部に、一対の端部固定部５５が配置され、その間に非固定部５６が配置されている。
【００７５】
このように非連続伸縮部材２３２も非固定部５６を有することで、胴周り部２０の柔軟性が向上する。ただし、上記に限定されず、非連続伸縮部材２３２が非固定部５６を有していなくてもよい。また、胴周り部２０が非連続伸縮部材２３２を有していなくてもよい。
【００７６】
また、第１実施形態の胴周り部２０は、幅方向における端部固定部５０よりも内側において一対のシート２１，２２同士が接合されるシート接合部を有さないものとする。シート接合部（本発明の第１シート接合部）とは、幅方向における端部固定部５０よりも内側において連続伸縮部材２３１を一対のシート２１，２２に固定する部位（例えば中央固定部５２、５４等、胴周り伸縮部材２３を挟み込んだ状態で一対のシート２１，２２が接合されている部位）と、非連続であり、上下方向（長手方向）に間隔をあけて配置される部位である。つまり、シート接合部は、胴周り伸縮部材２３と交差することなく配置される部位であり、一対のシート２１，２２の対向する面同士を直接接合している部位である。具体的には、後述する第３実施形態（図８及び図９）に示すシート接合部６０，６１を例示できる。
【００７７】
シート接合部では、一対のシート同士２１，２２が接合されていない部位に比べて、剛性が高まる。そのため、第１実施形態のように胴周り部２０がシート接合部を有さないことで、胴周り部２０の柔軟性をより向上させることができる。
【００７８】
（第２実施形態）
図７は、第２実施形態の腹側胴周り部２０の概略平面図である。第２実施形態では、第１連続伸縮部材２３１ａが、第２連続伸縮部材２３１ｂと同様に、幅方向において少なくとも吸収性コア１１Ａと重複する領域Ｒ１の全域に亘り、一対のシート２１，２２に固定された「中央固定部５７」を有するものとする。
【００７９】
ただし、第１連続伸縮部材２３１ａは非固定部５１も有する。そのため、第１連続伸縮部材２３１ａの中央固定部５７は、幅方向の一方側の端部固定部５０から他方側の端部固定部５０まで連続しないものとする。図７では中央固定部５７の両側に非固定部５１が配置されている。ただし、これに限らず、中央固定部５７の片側にのみ非固定部５１が配置されていてもよい（不図示）。
【００８０】
このように、第１連続伸縮部材２３１ａも中央固定部５７を有することで、幅方向に吸収性コア１１Ａが存在する領域Ｒ１において第１連続伸縮部材２３１ａが着用者に密着する位置に、肌側シート２１も固定され、吸収性コア１１Ａが上下方向に位置ずれし難くなる。
【００８１】
また、図７に示すように、複数の連続伸縮部材２３１のうち、第１連続伸縮部材２３１ａ以外の連続伸縮部材２３１が、第２連続伸縮部材２３１ｂである場合に、全ての第１連続伸縮部材２３１ａが中央固定部５７を有し、全ての第２連続伸縮部材２３１ｂが非固定部５３を有するとよい。つまり、全ての連続伸縮部材２３１が中央固定部５２，５７及び非固定部５１，５３を有するとよい。その場合、長手方向において吸収性本体１０よりも外側の連続伸縮部材２３１が第１連続伸縮部材２３１ａに相当し、長手方向において吸収性本体１０と重複する連続伸縮部材２３１が第２連続伸縮部材２３１ｂに相当する。
【００８２】
そうすることで、全ての連続伸縮部材２３１の中央固定部５２，５７により、吸収性コア１１Ａの上下方向の位置ずれを抑制しつつ、全ての連続伸縮部材２３１の非固定部５１，５３により、胴周り部２０の柔軟性を向上させることができる。
【００８３】
また、全ての連続伸縮部材２３１の中央固定部５７，５２によって、連続伸縮部材２３１の上下方向の動きが規制される。そのため、上下方向における連続伸縮部材２３１の間隔が維持され、胴周り部２０の広い範囲に亘り伸縮性を付与できる。
【００８４】
さらに、図７に示すように、全ての第１連続伸縮部材２３１ａ、及び、全ての第２伸縮部材２３１ｂが、それぞれ有する中央固定部５２，５７の幅方向の長さＷ３が等しいとよい。そうすることで、おむつ１の製造時において、中央固定部５２，５７の形成（例えば接着剤の塗布工程）の制御が容易になる。なお、中央固定部５２，５７の幅方向の長さＷ３を比較する場合、胴周り部２０を皺なく伸長させた状態で行うとよい。
【００８５】
また、第１実施形態（図４）と同様に、第２実施形態（図７）の胴周り部２０も、幅方向の中央部が非連続である非連続伸縮部材２３２を有していてもよい。そして、第１実施形態では、吸収性コア１１Ａの幅方向の両端部にそれぞれ離間して配置されていた端部固定部（参照：図４の５５ａ，５５ｂ）が幅方向に連続していてもよい。この場合、非連続伸縮部材２３２の端部固定部５５（５５ａ，５５ｂ）の幅方向の長さを、連続伸縮部材２３１の中央固定部５２，５７の幅方向の長さと等しくしてもよい。そうすることで、おむつ１の製造時において、中央固定部５２，５７及び端部固定部５５の形成（例えば接着剤の塗布工程）の制御が容易になる。また、図７に示すように、非連続伸縮部材２３２の非連続部分（非伸縮部分）の広い範囲に亘り、端部固定部５５が幅方向に長く伸びている場合、非連続部分における非肌側シート２２の浮きを抑制できる。よって、おむつ１の外観を向上させることができる。
【００８６】
ただし、上記に限定されない。例えば、複数の連続伸縮部材２３１は、中央固定部５７を有する第１連続伸縮部材２３１ａを少なくとも１つ有しているだけでもよい。また、複数の連続伸縮部材２３１がそれぞれ有する中央固定部５２，５７の幅方向の長さが等しくなくてもよい。また、第２実施形態の胴周り部２０も、第１実施形態と同様に、シート接合部を有さないものとする。
【００８７】
（第３実施形態）
図８〜図１０は、第３実施形態の腹側胴周り部２０の概略平面図である。第３実施形態では、胴周り部２０が、幅方向における端部固定部５０よりも内側において、一対のシート２１，２２同士が接合されたシート接合部６０〜６２（本発明の第２シート接合部）を有するものとする。なお、シート接合部６０〜６２における一対のシート２１，２２の接合方法としては、溶着や接着剤による接合等を例示できる。
【００８８】
以下、図４に示した連続伸縮部材２３１及び非連続伸縮部材２３２を有する胴周り部２０を例に挙げて、シート接合部６０〜６２を説明する。しかし、第１実施形態及び第２実施形態で説明した何れの胴周り部２０が、以下に説明するシート接合部６０〜６２を有していてもよい。
【００８９】
胴周り伸縮部材２３の非固定部５１，５６では、一対のシート２１，２２が離間する。そのため、おむつ１の外観において、非肌側シート２２が浮いて視認されやすく、胴周り伸縮部材２３が収縮した際に、不規則な大きな縦皺が形成されやすい。よって、胴周り部２０にシート接合部６０〜６２を設けることで、非肌側シート２２の浮きを抑制でき、おむつ１の外観を向上させることができる。
【００９０】
図８に示すシート接合部６０は、おむつ１の上下方向（長手方向）よりも幅方向に長く延びている。また、幅方向における端部固定部５０よりも内側において胴周り伸縮部材２３を一対のシート２１，２２に固定する部位（例えば第２連続伸縮部材２３１ｂの中央固定部５２等）と、シート接合部６０は、非連続であり、上下方向に間隔をあけて配置されている。つまり、シート接合部６０は、胴周り伸縮部材２３と交差することなく配置されている。具体的には、図８に示すシート接合部６０は、胴周り部２０の一端縁から他端縁まで連続して延び、上下方向に並ぶ胴周り伸縮部材２３の全ての間に配置されている。
【００９１】
このように、幅方向に長く延びたシート接合部６０を胴周り部２０に設けることで、胴周り伸縮部材２３が収縮した際に、規則的な細かな縦皺が形成されやすくなる。そのため、おむつ１の外観が向上し、胴周り部２０のフィット性が良いといった印象をユーザーに付与できる。
【００９２】
また、シート接合部６０によって胴周り伸縮部材２３の上下方向の動きが規制される。そのため、胴周り伸縮部材２３の上下方向の間隔が維持されやすく、胴周り部２０の広い範囲に亘り伸縮性を付与できる。
【００９３】
しかし、胴周り部２０がシート接合部６０を有する場合、胴周り部２０がシート接合部６０を有さない場合に比べると、胴周り部２０の柔軟性は軽減されてしまう。ただし、シート接合部６０は、胴周り伸縮部材２３に比べて着用者の肌に密着し難い。そのため、胴周り伸縮部材２３を一対のシート２１，２２に固定する接着剤等の硬さに比べて、シート接合部６０の接着剤等の硬さをユーザーは感じ難く、胴周り部２０の着け心地の低下を抑制できる。
【００９４】
また、幅方向に吸収性コア１１Ａが存在する領域Ｒ１では、吸収性コア１１Ａの幅方向の剛性の高さにより胴周り部２０が幅方向に収縮し難い。また、胴周り部２０には、中央固定部５２を有する第２連続伸縮部材２３１ｂが配置されている（特に図７では全ての連続伸縮部材２３１が中央固定部５２，５７を有する）。そのため、領域Ｒ１にシート接合部６１が配置されていなくても、不規則な大きな縦皺が目立ち難く、形成され難い。そこで、図９に示すように、幅方向における吸収性コア１１Ａの外側に、シート接合部６１を配置してもよい。このように、シート接合部６１の幅方向の長さを出来る限り短くすることで、胴周り部２０の柔軟性を向上させることができる。
【００９５】
ただし、図８図９に示すシート接合部６０，６１に限定されない。例えば、シート接合部６０，６１は、幅方向に連続して延びることなく、幅方向に間欠的に配置されていてもよい。また、非連続伸縮部材２３２を有する胴周り部２０の場合、非連続伸縮部材２３２の非連続部分にはシート接合部６０，６１を配置しなくてもよい。また、上下方向に並ぶ胴周り伸縮部材２３の複数の間の一部にのみシート接合部６０，６１を配置してもよい。また、シート接合部６０，６１は、係止部４０よりも幅方向の内側に配置されていたり、端部固定部５０よりも幅方向の内側に配置されていたりしてもよい。
【００９６】
また、第２実施形態の図７に示すように、非連続伸縮部材２３２の非連続部分において、端部固定部５５が幅方向に長く伸びている場合、非連続部分における非肌側シート２２の浮きを、端部固定部５５によって抑制できる。一方、図８に示すように、非連続伸縮部材２３２の非連続部分において、端部固定部５５が幅方向に離間している場合、端部固定部５５の間の領域において、非肌側シート２２が浮きやすくなる。そのため、図８に示すように、非連続伸縮部材２３２の非連続部分にシート接合部６０を配置することが好ましい。そうすることで、非肌側シート２２の浮きを抑制でき、おむつ１の外観を向上させることができる。ただし、上記に限定されず、図９に示すように、非連続伸縮部材２３２の非連続部分にシート接合部６０を配置しなくてもよい。
【００９７】
また、図１０に示すように、シート接合部６２が、胴周り伸縮部材２３と上下方向に交差して配置されていてもよい。具体的に、図１０では、吸収性コア１１Ａの幅方向の両端部と同じ幅方向の位置であり、第２連続伸縮部材２３１ｂよりも上方に、一対のシート接合部６２が配置されている。シート接合部６２は、上下方向に長く延びた矩形状である。
【００９８】
シート接合部６２によって連続伸縮部材２３１の上下方向の動きが規制される。そのため、上下方向における連続伸縮部材２３１の間隔が維持されやすく、胴周り部２０の広い範囲に亘り伸縮性を付与できる。
【００９９】
また、胴周り部２０の幅方向の両端部は、端部固定部５０や係止部４０により、縦方向の剛性が比較的に高く、縦方向につぶれ難い。図１０の場合、胴周り部２０の幅方向の中央部も、シート接合部６２によって、縦方向の剛性が高まり、縦方向につぶれ難くなっている。そのため、胴周り部２０の形状（ここでは矩形形状）が保たれやすく、着用者の胴周りを胴周り部２０でしっかりと覆うことができる。
【０１００】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【０１０１】
上述の実施形態では、不織布等の一対の柔軟なシート２１，２２（３１，３２）によって胴周り部２０（３０）が構成されていたが、一対のシート２１，２２の表面に複数の開孔２５が設けられていても良い。図１１は、複数の開孔２５を有するシート２１、２２の一例を表す概略斜視図である。図１１の例では、肌側シート２１は、表裏に貫通する開孔２５が間隔を空けて複数設けられた開孔不織布となっている。なお、複数の開孔２５は、非肌側シート２２に設けられていても良いし、肌側シート２１及び非肌側シート２２の双方に設けられていても良い。
【０１０２】
一対のシート２１，２２の少なくとも一方に複数の開孔２５が設けられることにより、シートの通気性が向上し、おむつ１の着用時において、胴周り部２０を蒸れにくくすることができる。一方で、このような開孔２５は、通常、加熱されたピン部材（不図示）等を使用して形成されるが、その際、開孔２５の外周縁部が溶融及び固化されることにより、該開孔２５が硬くなってしまうおそれがある。この場合、胴周り部２０の柔軟性が損なわれ、胴周り部２０の肌触りが悪化してしまう。また、開孔２５が設けられ、且つ、胴周り伸縮部材２３の全域に固定用の接着剤が塗工されていた場合、胴周り伸縮部材２３が収縮したときに、接着剤の目付が相対的に高くなり、接着剤の粘着感が開孔２５を通じて全ての胴周り伸縮部材２３から感じられるようになるおそれがある。
【０１０３】
これに対して、胴周り部２０は、幅方向において、一対の端部固定部５０，５０よりも内側の領域に、胴周り伸縮部材２３が胴周り部２０に固定されてない非固定部５１を有している。そして、非固定部５１が設けられている領域と、複数の開孔２５が設けられている領域とが重複する部分を有している。胴周り部２０は、非固定部５１が設けられている領域において高い柔軟性を有しているため、当該領域では開孔２５の外周縁部の硬化による影響を相対的に小さくすることができる。すなわち、胴周り部２０全体としての触感が硬くなりにくい。また、非固定部５１においては、胴周り伸縮部材２３に接着剤が塗工されていないため、開孔２５を通じて着用者に接着剤の粘着感を感じさせることを抑制できる。したがって、着用者に不快感を生じさせること無く、胴周り部２０の柔軟性及び通気性を向上させることができる。
【符号の説明】
【０１０４】
１  パンツ型使い捨ておむつ（吸収性物品）、
１０  吸収性本体、１１  吸収体、
１１Ａ  吸収性コア、１１Ｂ  コアラップシート、
１２  トップシート、１３  バックシート、１４  外装シート、
２０  腹側胴周り部（胴周り部）、３０  背側胴周り部（胴周り部）、
２１，３１  肌側シート（シート）、
２２，３２  非肌側シート（シート）、
２３，３３  胴周り伸縮部材、
２３１  連続伸縮部材（伸縮部材）、２３２  非連続伸縮部材、
２３１ａ  第１連続伸縮部材（第１伸縮部材）、
２３１ｂ  第２連続伸縮部材（第２伸縮部材）、
２３１ｃ  第３連続伸縮部材、
２５  開孔、
４０  係止部、
５０，５５  端部固定部、
５１，５３，５６  非固定部、
５２，５４，５７  中央固定部、
６０  シート接合部（第１シート接合部，第２シート接合部）、
６１  シート接合部（第１シート接合部，第２シート接合部）、
６２  シート接合部（第２シート接合部）、
【図１】
2020151253.tif 000003
【図２】
2020151253.tif 000004
【図３】
2020151253.tif 000005
【図４】
2020151253.tif 000006
【図５】
2020151253.tif 000007
【図６】
2020151253.tif 000008
【図７】
2020151253.tif 000009
【図８】
2020151253.tif 000010
【図９】
2020151253.tif 000011
【図１０】
2020151253.tif 000012
【図１１】
2020151253.tif 000013